(57)【要約】【課題】女性が上衣を着たとき、色付け細工によって、胸部部分が少しでも大きく隆起しているように見せられる上衣を作ること。【解決手段】上衣を着たとき、上半身の前側の胸部部分の色を細工して、その周辺部分に比べて、微妙に淡く、或いは微妙に薄く、または微妙に明るく色付け細工を施すことにより、見ている人の目の錯覚を誘い、元々隆起している女性の胸部部分が少しでも隆起して大きくなったように見せることができるようになる。【選択図】　　図１
2004092002.tif 000002
【特許請求の範囲】
【請求項１】
女性が上衣（１）を着たとき、上半身の前側の胸部部分（２）を少しでも大きく隆起しているように見せることができるように、上衣（１）の胸部部分（２）を、その周辺部分（３）に比べて、施す色の感じを微妙に淡く、或いは微妙に薄く、または微妙に明るく色付け細工し、周辺部分（３）の方が、微妙に濃く、或いは微妙に暗く配色することによって、着ている上衣（１）の胸部部分（２）と、その周辺部分（３）との微妙な濃淡・濃薄・明暗の色付け細工により、見ている人の目の錯覚を誘い、少しでも胸部部分（２）の隆起が大きく見えるように為された衣服。
【発明の詳細な説明】
【０００１】
【発明の属する技術分野】
本発明は、女性が上衣を着たとき、胸部部分が少しでも大きく隆起しているように見せることができるように、胸部部分を、その周辺部分に比べて、微妙に淡く、或いは微妙に薄く、または微妙に明るく色付け細工し、周辺部分の方が、胸部部分より、微妙に濃く、或いは微妙に暗く色付け細工を施すことにより、見ている人の目の錯覚を誘って、少しでも胸部部分の隆起が大きく見えるように為された衣服に関する。
【０００２】
【従来の技術】
従来の上衣には、女性が着たとき、胸部部分が少しでも大きく見えるように配色を施している衣服は無く、あくまで、デザイン的な観点から色の濃淡や明暗や配色を施しているに過ぎなかった。
【０００３】
【発明が解決しようとする課題】
従来の上衣には、女性が着たとき、胸部部分が少しでも隆起しているように見せるために、色付け細工を施している上衣は無く、上衣の色付けは、あくまで、ファッションを重視して、デザイン的に色付けしているに過ぎず、胸部部分を少しでも大きく隆起しているように見せたい女性心理において、着るだけで、少しでも胸部部分を大きく見せることができる衣服が求められていた。
【０００４】
【課題を解決するための手段】
少しでも大きく隆起しているように見せたい部分は、女性が上衣を着たとき、上半身の前側の胸部部分であり、上衣表面において、色の濃淡や明暗によって、隆起を大きく見せたり、窪んだように見せたりすることで、見ている人の目の錯覚を誘うことができる。実際には、女性が上衣を着たとき、胸部部分をその周辺部分に比べて、微妙に淡く、或いは微妙に薄く、または微妙に明るく色付け細工を施し、周辺部分は、胸部部分に比べて、微妙に濃く、或いは暗く色付け細工を施すのである。微妙な濃淡や微妙な濃薄や微妙な明暗の色付け細工を施した上衣を着ることによって、元々、女性の胸部部分は隆起しているのであるが、目の錯覚を誘い、少しでも大きく隆起しているように見えるようになる。
【０００５】
【発明の実施の形態】
本発明は、女性が上衣を着たとき、上衣に施した微妙な濃淡や微妙な濃薄や微妙な明暗をつけた色付け細工により、見ている人の目の錯覚を誘い、少しでも胸部部分が大きく隆起して見えるように為されることを目的とした上衣である。
【０００６】
上衣に配色を施すとき、微妙な濃淡や微妙な濃薄や微妙な明暗の差をつけるところは、女性が上衣を身に着けた際、上半身の胸部部分を中心として行うのである。
【０００７】
胸部部分を中心として配色を施すときは、胸部部分とその周辺部分において、少なくとも微妙な色の濃淡や微妙な色の濃薄や微妙な色の明暗により差をつけると効果的である。
【０００８】
胸部部分と周辺部分において、微妙な濃淡や、微妙な明暗によって色の差をつけるとき、右左の胸のバストトップの２点を中心として、それぞれ胸の周辺部分に向かって微妙な濃淡や、微妙な明暗の差をつける方法と、左右のバストトップを結んだ横のラインを中心として、上側・下側の周辺部分に向かって微妙な濃淡や微妙な濃薄や微妙な明暗の差をつける方法があり、どちらかの方法を用いるか、組み合わせて用いると効果的である。
【０００９】
特に身体にぴったりフィットした上衣の場合は、左右の胸のバストトップの間に窪みができず、左右に引っ張られて、その部分の上衣は張っている状態なので、左右の胸のバストトップを結んだ横のラインを中心として、色の差をつける方法を用いて方が効果的である。
【００１０】
胸部部分を中心として色の差をつけるときは、少しでも大きく隆起しているように見せたい部分、つまり、左右の胸部部分を周辺部分に比べて微妙に淡く、或いは微妙に薄く、または微妙に明るく色付け細工し、周辺部分を左右の胸部部分に比べて、微妙に濃く、或いは微妙に暗く色付け細工をすると、見ている人の目の錯覚を招きやすくなり効果的である。
【００１１】
色の濃淡や明暗の色付けを施す場合、周辺部分が、胸部部分に比べて、微妙に濃く、或いは微妙に暗くなっていれば、必ずしも衣服の端部に向かって微妙に濃く、或いは微妙に暗く色付け細工をしなくてもよいのである。
【００１２】
平面の地図では、山岳部分を表す場合に高い部分が濃く、低い部分に行くほど薄くなるように表示しますが、上衣の場合は、着ている人が動くことと、動くことで光が当たり、隆起している部分に光が当たれば、明るく見え、隆起していない部分は、陰になり暗く見えることを利用して、隆起している部分、つまり、胸部部分を少しでも大きく見せるために、胸部部分を周辺部分に比べて、微妙に淡く、或いは微妙に薄く、または微妙に明るく見せ、周辺部分を胸部部分に比べて、微妙に濃く、或いは微妙に暗く見せることで、光と陰、明暗の対比によって、胸部部分を少しでも大きく隆起しているように見せることができるようになるので効果的である。
【００１３】
上衣が単一色の場合は、同じ色目の中で、微妙な濃淡や微妙な濃薄や微妙な明暗によって、胸部部分と、周辺部分の差をつけると効果的である。
【００１４】
上衣が二色以上の場合であっても、色ごとに、微妙な濃淡や微妙な濃薄や微妙な明暗によって、胸部部分と、周辺部分の差をつけると効果的である。
【００１５】
上衣への色付けを細工して、胸部部分と、周辺部分の差をつけるとき、目の錯覚を誘いやすくするために、胸部部分の色を淡く、薄く、明るくし、胸部部分の上側と下側の両側の周辺部分を胸部部分より濃く、暗くした方が胸部部分を少しでも大きく見せるために効果的であるが、胸部部分の上側の周辺部分は光が当たり明るく見えることが多いので、デザイン上、胸部部分の上側の周辺部分を胸部部分と同じくらいの淡い、薄い、明るい色を施さなければならなかったとしても、少なくとも、胸部部分の下側の周辺部分は、胸部部分より濃く、暗く色付けをしなければならないのである。
【００１６】
少しでも着ている人の胸部部分が大きく見せるための上衣は、微妙な濃淡や微妙な濃薄や微妙な明暗によって、目の錯覚を誘わなければならないので、だぼだぼの上衣よりは、なるべく身体にぴったりフィットしている上衣の方が、だぼだぼの上衣を着たときの上衣の余分な部分によってできる、しわやでこぼこ状態の明暗や陰の影響を受けづらいので効果的である。
【００１７】
【実施例】
実施例について図面を参照して説明すると、図１において、女性が上衣（１）を着たとき、上半身の前側の胸部部分（２）の色付けを施す際、胸部部分（２）が周辺部分（３）に比べて、微妙に淡く、或いは微妙に薄く、または微妙に明るく色付けし、周辺部分（３）は、胸部部分（２）より微妙に濃く、或いは微妙に暗く色付けする。
【００１８】
図２では、使用状態を示す図であり、女性が上衣（１）を着たとき、上半身の前側の胸部部分（２）を、その周辺部分（３）に比べて、微妙に淡く、或いは微妙に薄く、または微妙に明るく色付け細工し、周辺部分を胸部部分（２）に比べて、微妙に濃く、微妙に暗く色付け細工することにより、元々胸部部分（２）が隆起している女性を見た人が、胸部部分（２）と周辺部分（３）に色付け細工された微妙な濃淡や濃薄や明暗の差によって、目の錯覚を誘われ、女性の胸部部分（２）が少しでも大きくなったように見せることができる上衣（１）になるのである。
【００１９】
上衣（１）に色付け細工を施すとき、胸部部分（２）と、その周辺部分（３）を、濃淡や明暗ではっきり分けて、色付け細工を行っても良いが、胸部部分（２）と、その周辺部分（３）を微妙に濃淡や明暗によって分かるか分からないか微妙なところで色付け細工した方が、着ている人も着やすくなり、見ている人も、微妙な色付け細工により、目の錯覚を誘いやすくなるので効果的である。特に、上衣（１）の前面にデザインが描かれている場合などは、胸部部分（２）においてデザイン的に淡い、或いは薄い、または明るい色付けが必要な場合を除いて、胸部部分（２）だけはっきり色が淡かったり、薄かったり、明るかったりするとおかしくなるので、胸部部分（２）とその周辺部分（３）は微妙に色付け細工した方が良いのである。
【００２０】
上衣（１）に色付け細工を施すとき、強調したいデザイン的なポイント柄がある場合など、必ずしも胸部部分（２）全てが周辺部分（３）に比べて、微妙に淡く、或いは微妙に薄く、または微妙に明るく色付け細工されなくても良いのであり、周辺部分（３）においても、必ずしも周辺部分（３）全てが、胸部部分（２）より微妙に濃く、或いは微妙に暗く色付け細工が行われなくとも良いのである。
【００２１】
横縞ボーダーライン柄の上衣（１）の場合は、胸部部分（２）に懸かっている横縞部分のほぼ全体を、胸部部分（２）に懸かっていない周辺部分（３）に比べて、微妙に淡く、或いは微妙に薄く、または微妙に明るく色付け細工するのであるが、胸部部分（２）のバストトップ辺りを最も淡く、或いは薄く、または明るくし、周辺部分（３）に向かって徐々に微妙に濃く、或いは微妙に暗く色付け細工することにより、胸部部分（２）が少しでも大きく隆起しているように見せることができ効果的である。
【００２２】
目の錯覚により、縦縞の上衣（１）の方が、横縞の上衣（１）に比べて細く見えるというホルムヘルツ現象があるが、縦縞の上衣（１）を着ても、胸部部分（２）を周辺部分（３）に比べて、微妙に淡く、或いは微妙に薄く、または微妙に明るく色付け細工を施すことにより、ホルムヘルツ現象で全体的には細く見せながら、胸部部分（２）を少しでも大きく隆起しているように見せることができるようになり効果的である。
【００２３】
周辺部分（３）は、胸部部分（２）より微妙に濃く、或いは微妙に暗く色付け細工されるのであるが、特に、胸部部分（２）の下側、つまり、見た人に、胸部部分（２）が隆起していて、胸部部分（２）の下側は光のあたる程度が弱いと感じさせることで胸部部分（２）を少しでも大きく見せるために、右胸下側と左胸下側に、胸部部分（２）より微妙に濃く、或いは微妙に暗く色付け細工を行うと効果的である。また、デザイン上、胸部部分（２）の上側の周辺部分（３）について、胸部部分（２）に比べて濃く、暗く色付けを施せなくても、胸部部分（２）の下側の周辺部分（３）には、必ず、胸部部分（２）より微妙に濃く、或いは微妙に暗く色付け細工を施さなければならないのである。
【００２４】
本発明は、女性が着る上衣（１）において、胸部部分（２）とその周辺部分（３）への微妙な色付け細工を施すことにより、見ている人の目錯覚を誘い、胸部部分（２）が少しでも大きく隆起しているように見せることを目的としており、上衣（１）のデザインや配色、彩色、種類を述べているものではないのである。
【００２５】
【発明の効果】
本発明は、以上述べてきたような内容で実施され、以下に記載されるような効果を奏する。
【００２６】
本発明は、女性が上衣を着たとき、上半身の前側の胸部部分の隆起を、上衣に施した微妙な濃淡・濃薄・明暗を利用して、目の錯覚を誘い、その上衣を着るだけで、胸部部分が少しでも大きく隆起しているように見せることができ便利である。
【００２７】
本発明は、色付け細工を施していない上衣を着たときよりも、色付け細工を施している上衣を着るだけで、胸部部分を少しでも大きく見せることができ効果的である。
【００２８】
本発明は、なるべく、上半身にぴったりフィットしているＴシャツや薄手の上衣に使用すると、微妙な濃淡・濃薄・明暗を利用した色付け細工によって、胸部部分を少しでも大きく見せやすくなり効果的である。
【００２９】
本発明は、上衣のデザインやファッション性を損なわずに、微妙な濃淡・濃薄・明暗を利用した色付け細工によって、胸部部分を少しでも大きく見せられるようにするので効果的である。
【００３０】
本発明は、着るだけで胸部部分を少しでも大きく見せることができるので、胸部部分を少しでも大きく見せたい女性の思惑や願望を満足させることができるのである。また、自分自身の胸部部分の隆起に不満足な女性のコンプレックスを和らげることにも効果的である。
【図面の簡単な説明】
【図１】本発明の実施例図である。
【図２】本発明の使用状態を示す図である。
【符号の説明】
１　上衣
２　胸部部分
３　周辺部分
【図１】
2004092002.tif 000003
【図２】
2004092002.tif 000004